(57)【要約】【課題】  あぶらとり紙を収納するケースを紙製としてコストを安価にすると共に、製品の重量も軽くして持ち運びに便利なコンパクト型あぶらとり紙を提供すること。【解決手段】  顔の皮脂を吸収する多数枚のあぶらとり紙２と、このあぶらとり紙２の最上部の上面に置かれて下面に該あぶらとり紙２を接離自在に接着させる接着手段４を備えたパフ３とを紙材からなるケース本体１１内に脱落防止手段を介して納装する。パフ３を取り出すと、該パフ３の下面に設けた接着剤にあぶらとり紙２が接着しており、普通の化粧のパフの場合と同様の感覚であぶらとり紙２にて顔の皮脂を吸収する。【選択図】        図１
2006314416.tif 000002
【特許請求の範囲】
【請求項１】
顔の皮脂を吸収する多数枚のあぶらとり紙（２）と、このあぶらとり紙（２）の最上部の上面に置かれて下面に該あぶらとり紙（２）を接離自在に接着させる接着手段（４）を備えたパフ（３）とを紙材からなるケース本体（１１）内に脱落防止手段を介して納装していることを特徴とするコンパクト型あぶらとり紙。
【請求項２】
前記ケース本体（１１）は、側ケース（２１）と該側ケース（２１）の底板部（２２）上に組み込まれるベース（５１）とで構成され、
前記側ケース（２１）には、前記底板部（２２）の上下に起立可能に設けた舌片（３０）（３１）と、前記底板部（２２）の両側に起立可能に設けた支持片（３４）（３５）と、前記底板部（２２）の両側の縁部より延出形成されて折り返した先端を前記支持片（３４）（３５）形成用の切り込み線（３２）（３３）を介して前記底板部（２２）の上面に差し込む折り返し片（２３）（２４）とが形成されており、
前記ベース（５１）の両側には折り返しにより起立可能な突片（５４）（５５）がそれぞれ設けられており、
前記ベース（５１）の両側を側ケース（２１）の底板部（２２）と折り返し片（２３）（２４）との間の空間部（６１）に挿入すると共に、前記突片（５４）（５５）が前記側ケース（２１）の支持片（３４）（３５）の内側に位置せしめ、
前記舌片（３０）（３１）、支持片（３４）（３５）及び突片（５４）（５５）にてあぶらとり紙（２）及びパフ（３）を保持するようにしていることを特徴とする請求項１に記載のコンパクト型あぶらとり紙。
【請求項３】
前記ベース（５１）の突片（５４）（５５）の下部を折り曲げて形成した空間部（６２）に前記あぶらとり紙（２）の端部を挿入支持していることを特徴とする請求項２に記載のコンパクト型あぶらとり紙。
【請求項４】
前記ケース本体（１１）は、開閉自在な略コ字型のカバー体（７０）と、このカバー体（７０）の一方の片に設けられた支持体（７１）とで構成され、
前記支持体（７１）に凹設した凹部（７３）内に前記あぶらとり紙（２）及びパフ（３）を納装するようにしていることを特徴とする請求項１に記載のコンパクト型あぶらとり紙。
【請求項５】
前記支持体（７１）は複数枚の紙材を積層して構成され、該積層された複数枚の紙材を打ち抜いて凹部（７３）を形成していることを特徴とする請求項４に記載のコンパクト型あぶらとり紙。
【発明の詳細な説明】
【技術分野】
【０００１】
本発明は、ケース内に多数枚のあぶらとり紙を収納したコンパクト型あぶらとり紙に関するものである。
【背景技術】
【０００２】
ケース内に多数枚のあぶらとり紙を予め収納しておき、その最上部のあぶらとり紙をパフに接着させて顔の皮脂を取るようにしたのが、例えば、下記に示す特許文献１に開示されている。
【０００３】
【特許文献１】特開平９−２９４６２６号公報（特許第３１５５４６４号）
【０００４】
しかしながら、特許文献１に記載されているケースは、プラスティックあるいは金属製で構成されているため、以下に示すように多くの問題を有している。すなわち、ケースをプラスティックあるいは金属製で形成するためには、金型が必要であり、この金型のコストが非常に高くなり、製造コストひいては製品のコストが高くなるという問題があった。
【０００５】
また、あぶらとり紙やパフ自体は軽量であるものの、ケースがプラスティックあるいは金属製のために、製品自体の重量が重くなるという問題がある。特に女性のハンドバックなどには化粧道具が多く入っているために、該製品を入れておくと、ハンドバックが更に重くなって持ち運びに支障を来すことになる。
【発明の開示】
【発明が解決しようとする課題】
【０００６】
本発明は上述の問題点に鑑みて提供したものであって、あぶらとり紙を収納するケースを紙製としてコストを安価にすると共に、製品の重量も軽くして持ち運びに便利なコンパクト型あぶらとり紙を提供することを目的とするものである。
【課題を解決するための手段】
【０００７】
そこで、本発明の請求項１に記載のコンパクト型あぶらとり紙では、顔の皮脂を吸収する多数枚のあぶらとり紙２と、このあぶらとり紙２の最上部の上面に置かれて下面に該あぶらとり紙２を接離自在に接着させる接着手段４を備えたパフ３とを紙材からなるケース本体１１内に脱落防止手段を介して納装していることを特徴としている。
【０００８】
請求項２に記載のコンパクト型あぶらとり紙では、前記ケース本体１１は、側ケース２１と該側ケース２１の底板部２２上に組み込まれるベース５１とで構成され、
前記側ケース２１には、前記底板部２２の上下に起立可能に設けた舌片３０、３１と、前記底板部２２の両側に起立可能に設けた支持片３４、３５と、前記底板部２２の両側の縁部より延出形成されて折り返した先端を前記支持片３４、３５形成用の切り込み線３２、３３を介して前記底板部２２の上面に差し込む折り返し片２３、２４とが形成されており、
前記ベース５１の両側には折り返しにより起立可能な突片５４、５５がそれぞれ設けられており、
前記ベース５１の両側を側ケース２１の底板部２２と折り返し片２３、２４との間の空間部６１に挿入すると共に、前記突片５４、５５が前記側ケース２１の支持片３４、３５の内側に位置せしめ、
前記舌片３０、３１、支持片３４、３５及び突片５４、５５にてあぶらとり紙２及びパフ３を保持するようにしていることを特徴としている。
【０００９】
請求項３に記載のコンパクト型あぶらとり紙では、前記ベース５１の突片５４、５５の下部を折り曲げて形成した空間部６２に前記あぶらとり紙２の端部を挿入支持していることを特徴としている。
【００１０】
請求項４に記載のコンパクト型あぶらとり紙では、前記ケース本体１１は、開閉自在な略コ字型のカバー体７０と、このカバー体７０の一方の片に設けられた支持体７１とで構成され、前記支持体７１に凹設した凹部７３内に前記あぶらとり紙２及びパフ３を納装するようにしていることを特徴としている。
【００１１】
請求項５に記載のコンパクト型あぶらとり紙では、前記支持体７１は複数枚の紙材を積層して構成され、該積層された複数枚の紙材を打ち抜いて凹部７３を形成していることを特徴としている。
【発明の効果】
【００１２】
本発明の請求項１に記載のコンパクト型あぶらとり紙によれば、顔の皮脂を吸収する多数枚のあぶらとり紙２と、このあぶらとり紙２の最上部の上面に置かれて下面に該あぶらとり紙２を接離自在に接着させる接着手段４を備えたパフ３とを紙材からなるケース本体１１内に脱落防止手段を介して納装しているので、あぶらとり紙を収納するケースを紙製としてコストを安価にすると共に、製品の重量も軽くして持ち運びに便利なコンパクト型あぶらとり紙を提供することができる。
【００１３】
請求項２に記載のコンパクト型あぶらとり紙によれば、前記ベース５１の両側を側ケース２１の底板部２２と折り返し片２３、２４との間の空間部６１に挿入すると共に、前記突片５４、５５が前記側ケース２１の支持片３４、３５の内側に位置せしめ、前記舌片３０、３１、支持片３４、３５及び突片５４、５５にてあぶらとり紙２及びパフ３を保持するようにしているので、紙材だけのケース本体１１にてあぶらとり紙２及びパフ３をケース本体１１から脱落しないように保持することができる。
【００１４】
請求項３に記載のコンパクト型あぶらとり紙によれば、前記ベース５１の突片５４、５５の下部を折り曲げて形成した空間部６２に前記あぶらとり紙２の端部を挿入支持しているので、あぶらとり紙２の保持を一層確実に行なうことができる。
【００１５】
請求項４に記載のコンパクト型あぶらとり紙によれば、前記支持体７１に凹設した凹部７３内に前記あぶらとり紙２及びパフ３を納装するようにしているので、簡単な構造であぶらとり紙２とパフ３をケース本体１１内に保持できて、ケース本体１１からの脱落を防止することができる。
【００１６】
請求項５に記載のコンパクト型あぶらとり紙によれば、前記支持体７１は複数枚の紙材を積層して構成され、該積層された複数枚の紙材を打ち抜いて凹部７３を形成しているので、紙材を用いているにも関わらず、簡単な構造であぶらとり紙２とパフ３を納装する凹部７３を形成することができる。
【発明を実施するための最良の形態】
【００１７】
以下、本発明の実施の形態を図面を参照して詳細に説明する。図１は本発明のコンパクト型あぶらとり紙１のカバーを開いた状態の斜視図を示し、図２はコンパクト型あぶらとり紙１のカバーを閉じた状態を、図３は断面図をそれぞれ示している。
【００１８】
このコンパクト型あぶらとり紙１は、図１及び図３に示すように、紙製で構成したケース本体１１と、このケース本体１１内に予め多数枚が収納されているあぶらとり紙２と、このあぶらとり紙２の最上部に設けられているパフ３とで構成されている。
ケース本体１１の構成については後述するが、開閉自在なカバー１２の端部には凸条の差込片１３が一体に形成されており、この差込片１３が差し込まれるスリット１５がカバー１２とは反対側の側片１４に切り込み形成されている。
【００１９】
パフ３は、一般的な化粧用のパフであり、少しの厚みを有して弾力性を備えていて、形状は例えば円形に形成してある。もちろんパフ３の形状はどのような形状でも良い。また、図４に示すようにパフ３の裏面の中央部分には円形状に接着剤４が塗布されており、この接着剤４にてあぶらとり紙２を接離自在に接着させて使用するようになっている。
なお、パフ３は所謂スポンジ状のものでも良く、また、接着剤４の塗布面積は、本実施形態では一部分としているが、略全体にわたって接着剤４を塗布するようにしても良い。また、図示していないが、接着剤４の面には出荷時には剥離紙が剥離自在に装着されている。
【００２０】
また、図５はあぶらとり紙２をパフ３の接着剤４にて接着させる場合の分解斜視図を示し、図６は側面図を示している。なお、図６では接着剤４に厚みを持たせて描いているが、実際には接着剤４の厚みはほとんど無いものであり、理解し易いように接着剤４に厚みを持たせて描いている。
あぶらとり紙２の下面は、顔の皮脂を吸収する吸収面２ａとし、あぶらとり紙２の他方の面である上面はあぶら分を透過させない樹脂面２ｂとしている。この樹脂面２ｂはあぶらとり紙２を製造する際に、樹脂をコーティングして形成しているものであり、この樹脂面２ｂにてパフ３の接着剤４への接着と剥がしを容易にしている。
【００２１】
次に、使用方法について説明する。図２に示すカバー１２が閉じている状態からカバー１２を開けると図１に示すようになる。ここで、あぶらとり紙２の最上部の上に接着剤４側を下面にしてパフ３を置いているので、パフ３は最上部のあぶらとり紙２を接着させた状態となっている。
そして、カバー１２を開けてパフ３を取り出すと１枚のあぶらとり紙２が接着剤４に接着した状態で取り出され（図６参照）、そのパフ３を持ってあぶらとり紙２の吸収面２ａを顔の皮膚に化粧のパフの使用感覚と同様な感覚で押さえることで、顔の皮脂をあぶらとり紙２にて吸収することができる。
【００２２】
このとき、あぶらとり紙２に皮脂を吸収しても、樹脂面２ｂによりあぶら分は樹脂面２ｂ側には透過せず、そのため、パフ３があぶら分にて汚れることはない。また、使用後のあぶらとり紙２をパフ３の接着剤４から剥がす場合でも、あぶらとり紙２の樹脂面２ｂと接着剤４とが接着しているので、接着剤４からあぶらとり紙２を簡単に剥がすことができる。
【００２３】
また、コンパクト型あぶらとり紙１のケース本体１１を紙製としているので、コストを安価にでき、しかも軽量化を図ることができる。そのため、コンパクト型あぶらとり紙１自体を軽量化できて、女性のハンドバックに入れても重くならず、持ち運びに便利なコンパクト型あぶらとり紙１を提供することができる。
【００２４】
次に、上記ケース本体１１の構成について説明する。このケース本体１１は、図７に示す側ケース２１と、この側ケース２１に一体的に装着される図８に示すベース５１との２つの部材で構成されている。
【００２５】
図７は側ケース２１を展開した状態を示し、この展開した状態では側ケース２１は略十字状に形成されており、カバー１２と側片１４との間に位置する底板部２２が形成されている。なお、図中の一点鎖線はケース本体１１を組み立てるための折り込み線を示している。
底板部２２の両側には折り返し片２３、２４がそれぞれ一体に延出形成され、図中の折り込み線２５、２６にて裏側に折り返すようになっている。
【００２６】
また、底板部２２の上下には略コ字型の切り込み線２７、２８が形成されていて、この切り込み線２７、２８にて舌片３０、３１が起立可能に形成されている。さらに、底板部２２の両側には縦方向に略コ字型の切り込み線３２、３３が形成されており、この切り込み線３２、３３にて支持片３４、３５が起立可能に形成されている。
底板部２２の下側の折り込み線３６を略９０°折曲して立ち上げ、更に折り込み線３７にて略９０°折り曲げることで、側片１４が底板部２２と略平行となる。また、底板部２２の上側の折り込み線３８を略９０°折曲して立ち上げ、更に折り込み線３９にて略９０°折り曲げることで、カバー１２が底板部２２と略平行となる。
【００２７】
なお、側ケース２１は紙を裁断することで、図７に示すように外形の形状、各折り込み線、切り込み線が同時に形成されるようになっている。
【００２８】
図８に示すようにベース５１は側ケース２１の底板部２２と略同じ大きさに形成されていて、ベース５１の両側に切り込み線５２、５３にて略半円状の突片５４、５５が形成されている。また、両突片５４、５５の基部には折り込み線５６、５７、５８、５９がそれぞれ形成されている。
ベース５１の両側の突片５４、５５をそれぞれ図９に示すように折り込み線５６、５８にて折曲して立ち上げると共に、折り込み線５７、５９にて外側に突片５４、５５をそれぞれ折り曲げるようにしている。なお、側ケース２１へのベース５１の組み込みについては後述する。
【００２９】
図７に状態において、右側の折り返し片２３を略１８０°裏側へ折り返すと共に、該折り返し片２３の先端を切り込み線３２に挿通させて図１０に示すように、底板部２２の上面に差し込む。左側の折り返し片２４も同様にして底板部２２の裏側へ折り返すと共に、該折り返し片２４の先端を切り込み線３３に挿通させて底板部２２の上面に差し込む。この状態を図１１に示す。また、図１１では、上下の舌片３０、３１を少し立ち上げている。
【００３０】
次に、図１２及び図１３に示すように、底板部２２の右側の下面と折り返し片２３の上面の間の空間部６１にベース５１の右側を折り返し片２３の上面から挿入する。このとき、ベース５１の突片５４を上方へ折曲して該突片５４を側ケース２１の支持片３４の内側に位置させる。
ベース５１の左側も同様にして側ケース２１へ組み込むと図１２に示すような状態となる。なお、ベース５１を側ケース２１に組み込む際に、上下の舌片３０、３１を立ち上げて該舌片３０、３１がベース５１より上側になるようにする。
【００３１】
ここで、図１３に示すようにベース５１の突片５４の下部には折り込み線５６により略Ｖ字型の空間部６２が形成され、この空間部６２にあぶらとり紙２の端部を挿入して、あぶらとり紙２を支持するようにしている。ベース５１の左側の突片５５も同様である。これによりベース５１の空間部６２にあぶらとり紙２の端部を挿入することで、あぶらとり紙２を支持できて脱落を防止できる。
このようにしてケース本体１１の底部であるベース５１の上面に多数枚のあぶらとり紙２を納装し、さらにその最上部のあぶらとり紙２の上面（樹脂面２ｂ側）にパフ３を載置する。
【００３２】
このとき、あぶらとり紙２及びパフ３の前後には舌片３０、３１が位置し、左右には突片５４、５５及び支持片３４、３５が位置して、あぶらとり紙２及びパフ３を位置決めないし支持している。そして、カバー１２を閉じて該カバー１２の差込片１３を側片１４のスリット１５に挿入することで、図２に示すようなコンパクト型あぶらとり紙１となる。
【００３３】
このようにケース本体１１を構成する側ケース２１とベース５１とを上述した構成としていることで、特に、ベース５１の両側を側ケース２１の底板部２２と折り返し片２３、２４との間の空間部６１に挿入すると共に、前記突片５４、５５が前記側ケース２１の支持片３４、３５の内側に位置せしめ、前記舌片３０、３１、支持片３４、３５及び突片５４、５５にてあぶらとり紙２及びパフ３を保持するようにしているので、紙材だけのケース本体１１にてあぶらとり紙２及びパフ３をケース本体１１から脱落しないように保持することができる。
また、ベース５１の突片５４、５５の下部を折り曲げて形成した空間部６２に前記あぶらとり紙２の端部を挿入支持しているので、あぶらとり紙２の保持を一層確実に行なうことができる。さらに、ケース本体１１を紙材で形成しているので、安価で且つ軽量化を図ることができる。
【００３４】
（第２の実施の形態）
次に、コンパクト型あぶらとり紙１の第２の実施形態について図１５〜図１８を用いて説明する。なお、あぶらとり紙２及びパフ３の構成は先の実施形態と同様であり、ケース本体１１の構成が異なるだけなので、該ケース本体１１の構成について詳述する。
【００３５】
本実施形態のケース本体１１は、図１５及び図１６に示すように、略コ字型で開閉自在なカバー体７０と、このカバー体７０の一方の片に固定されて多数枚のあぶらとり紙２とパフ３とを納装しておく支持体７１とで構成されている。また、カバー体７０の他方の片にはミラー７２が設けてある。
矩形状の支持体７１は、例えば厚さが１ｍｍ強の紙材７１ａ〜７１ｃを３枚積層し、その積層した３枚の紙材７１ａ〜７１ｃの中央部分を円形に打ち抜いて凹部７３を形成し、この凹部７３に多数枚のあぶらとり紙２及びパフ３を納装するようにしている。なお、支持体７１を構成する紙材は３枚に限定されるものではなく、任意の枚数を用いても良いものである。
【００３６】
図１７はコンパクト型あぶらとり紙１の正面図を示し、図１８はコンパクト型あぶらとり紙１の分解断面図を示している。なお、パフ３の下面に設けている接着剤４は厚みは無いものであるが、理解し易いように厚みを持たせている。
また、ケース本体１１の凹部７３にあぶらとり紙２を納装し、その最上部のあぶらとり紙２の上面にパフ３を置いた場合、パフ３を取り出し易いように（つかみ易いように）、図１７に示すように、支持体７１の上面より若干突出させている。
【００３７】
このように、本実施形態においても、ケース本体１１を紙材で形成しているので、安価で且つ軽量化を図ることができる。また、ケース本体１１の凹部７３にあぶらとり紙２とパフ３を納装していることで、パフ３やあぶらとり紙２がケース本体１１から脱落するのを防止している。
また、支持体７１は複数枚の紙材を積層して構成され、該積層された複数枚の紙材を打ち抜いて凹部７３を形成しているので、紙材を用いているにも関わらず、簡単な構造であぶらとり紙２とパフ３を納装する凹部７３を形成することができる。
【図面の簡単な説明】
【００３８】
【図１】本発明の実施の形態におけるコンパクト型あぶらとり紙のカバー開いた状態の斜視図である。
【図２】本発明の実施の形態におけるコンパクト型あぶらとり紙のカバーを閉じた状態の斜視図である。
【図３】本発明の実施の形態におけるコンパクト型あぶらとり紙の模式的に表した断面図である。
【図４】本発明の実施の形態におけるパフを裏面から見た斜視図である。
【図５】本発明の実施の形態における使用状態を示す説明図である。
【図６】本発明の実施の形態における使用状態を示す説明図である。
【図７】本発明の実施の形態におけるケース本体を組み立てる場合の工程を示す図である。
【図８】本発明の実施の形態におけるケース本体を構成しているベースの平面図である。
【図９】本発明の実施の形態におけるベースの正面図である。
【図１０】本発明の実施の形態におけるケース本体を組み立てる場合の工程を示す図である。
【図１１】本発明の実施の形態におけるケース本体を組み立てる場合の工程を示す図である。
【図１２】本発明の実施の形態におけるケース本体を組み立てる場合の工程を示す図である。
【図１３】本発明の実施の形態におけるケース本体を組み立てる場合の説明図である。
【図１４】本発明の実施の形態におけるケース本体を組み立てる場合の工程を示す図である。
【図１５】本発明の第２の実施の形態におけるコンパクト型あぶらとり紙の斜視図である。
【図１６】本発明の第２の実施の形態におけるコンパクト型あぶらとり紙の分解斜視図である。
【図１７】本発明の第２の実施の形態におけるコンパクト型あぶらとり紙の正面図である。
【図１８】本発明の第２の実施の形態におけるコンパクト型あぶらとり紙の分解断面図である。
【符号の説明】
【００３９】
１  コンパクト型あぶらとり紙
２  あぶらとり紙
３  パフ
４  接着剤
１１  ケース本体
１２  カバー
２１  側ケース
２２  底板部
２３、２４  折り返し片
３０、３１  舌片
３２、３３  切り込み線
３４、３５  支持片
５１  ベース
５４、５５  突片
６１  空間部
６２  空間部
７０  カバー体
７１  支持体
７３  凹部
【図１】
2006314416.tif 000003
【図２】
2006314416.tif 000004
【図３】
2006314416.tif 000005
【図４】
2006314416.tif 000006
【図５】
2006314416.tif 000007
【図６】
2006314416.tif 000008
【図７】
2006314416.tif 000009
【図８】
2006314416.tif 000010
【図９】
2006314416.tif 000011
【図１０】
2006314416.tif 000012
【図１１】
2006314416.tif 000013
【図１２】
2006314416.tif 000014
【図１３】
2006314416.tif 000015
【図１４】
2006314416.tif 000016
【図１５】
2006314416.tif 000017
【図１６】
2006314416.tif 000018
【図１７】
2006314416.tif 000019
【図１８】
2006314416.tif 000020